【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
基地局のダウンリンク送信からの干渉を経験する第１のユーザ機器、ＵＥのアップリンク送信のためのサブフレームを識別することによって、前記第１のＵＥのアップリンク送信として受信されることの低減された尤度をもつサブフレームのセットを判断することと、
サブフレームの前記判断されたセット以外のサブフレーム上にアップリンク制御情報、ＵＣＩをスケジュールすることによって前記第１のＵＥのアップリンク送信をスケジュールすることと
を備える、ワイヤレス通信の方法。
【請求項２】
前記アップリンク送信をスケジュールすることが前記干渉に少なくとも部分的に基づく、請求項１に記載の方法。
【請求項３】
サブフレームの前記セットを判断することが、アップリンクサブフレームとダウンリンクサブフレームとの間で切り替わる前記第１のＵＥのアップリンク送信のためのサブフレームを、アップリンク送信として受信されることの前記低減された尤度をもつサブフレームの前記セットとして識別することを備える、請求項１に記載の方法。
【請求項４】
前記スケジュールすることが、基地局のダウンリンク通信からの干渉を経験しないサブフレーム上にのみアップリンク制御情報をスケジュールすることを備える、請求項１に記載の方法。
【請求項５】
前記アップリンク制御情報が、ランクインジケータ、ＲＩ、チャネル品質インジケータ、ＣＱＩ、サウンディング基準信号、ＳＲＳ、スケジューリング要求、ＳＲ、および／または物理ランダムアクセスチャネル、ＰＲＡＣＨメッセージを備える、請求項１に記載の方法。
【請求項６】
前記ＰＲＡＣＨメッセージが、すべてのアップリンクＰＲＡＣＨメッセージまたはいくつかのアップリンクＰＲＡＣＨメッセージのみを備える、請求項５に記載の方法。
【請求項７】
基地局からの干渉を受けないアップリンクサブフレーム上に少なくともいくつかのＰＲＡＣＨリソースを有するＰＲＡＣＨ構成を選択することをさらに備える、請求項６に記載の方法。
【請求項８】
対応するスケジュールされた送信が、基地局からの干渉を受けないアップリンクサブフレーム上で送信されるように、ランダムアクセス応答をダウンリンクサブフレーム上にスケジュールすることをさらに備える、請求項６に記載の方法。
【請求項９】
競合解消の肯定応答、ＡＣＫメッセージが、基地局からの干渉を受けないアップリンクサブフレーム上で送信されるように、ＰＲＡＣＨプロセスの競合解消メッセージをダウンリンクサブフレーム上にスケジュールすることをさらに備える、請求項６に記載の方法。
【請求項１０】
基地局のダウンリンク送信からの干渉を経験する第１のユーザ機器、ＵＥのアップリンク送信のためのサブフレームを識別することによって、前記第１のＵＥのアップリンク送信として受信されることの低減された尤度をもつサブフレームのセットを判断するための手段と、
サブフレームの前記判断されたセット以外のサブフレーム上にアップリンク制御情報、ＵＣＩをスケジュールすることによって前記第１のＵＥのアップリンク送信をスケジュールするための手段と
を備える、ワイヤレス通信のための装置。
【請求項１１】
サブフレームの前記セットを判断するための前記手段が、アップリンクサブフレームとダウンリンクサブフレームとの間で切り替わる前記第１のＵＥのアップリンク送信のためのサブフレームを、アップリンク送信として受信されることの前記低減された尤度をもつサブフレームの前記セットとして識別するための手段を備える、請求項１０に記載の装置。
【請求項１２】
スケジュールするための前記手段が、基地局のダウンリンク通信からの干渉を経験しないサブフレーム上にのみアップリンク制御情報をスケジュールするための手段を備える、請求項１０に記載の装置。
【請求項１３】
前記アップリンク制御情報が、ランクインジケータ、ＲＩ、チャネル品質インジケータ、ＣＱＩ、サウンディング基準信号、ＳＲＳ、スケジューリング要求、ＳＲ、および／または物理ランダムアクセスチャネル、ＰＲＡＣＨメッセージを備え、
前記ＰＲＡＣＨメッセージが、すべてのアップリンクＰＲＡＣＨメッセージまたはいくつかのアップリンクＰＲＡＣＨメッセージのみを備え、
スケジュールするための前記手段が、競合解消の肯定応答、ＡＣＫメッセージが、基地局からの干渉を受けないアップリンクサブフレーム上で送信されるように、ＰＲＡＣＨプロセスの競合解消メッセージをダウンリンクサブフレーム上にスケジュールするための手段をさらに備える、請求項１０に記載の装置。
【請求項１４】
サブフレームのセットを判断するための前記手段およびアップリンク送信をスケジュールするための前記手段が、メモリと、前記メモリに結合された少なくとも１つのプロセッサとを備える、請求項１０に記載の装置。
【請求項１５】
請求項１乃至９のうちの１つの前記方法のすべてのステップを実施するためのコンピュータ実行可能であるプログラム命令を備える、コンピュータプログラム。
【手続補正２】
【補正対象書類名】明細書
【補正対象項目名】００９５
【補正方法】変更
【補正の内容】
【００９５】
[00106]本開示についての以上の説明は、いかなる当業者も本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
第１のユーザ機器（ＵＥ）のアップリンク送信として受信されることの低減された尤度をもつサブフレームのセットを判断することと、
サブフレームの前記判断されたセット以外のサブフレーム上にアップリンク制御情報（ＵＣＩ）をスケジュールすることによって前記第１のＵＥのアップリンク送信をスケジュールすることと
を備える、ワイヤレス通信の方法。
［Ｃ２］
サブフレームの前記セットを判断することが、基地局のダウンリンク送信からの干渉を経験する前記第１のＵＥのアップリンク送信のためのサブフレームを、アップリンク送信として受信されることの前記低減された尤度をもつサブフレームの前記セットとして識別することを備える、Ｃ１に記載の方法。
［Ｃ３］
前記アップリンク送信をスケジュールすることが前記干渉に少なくとも部分的に基づく、Ｃ２に記載の方法。
［Ｃ４］
サブフレームの前記セットを判断することが、アップリンクサブフレームとダウンリンクサブフレームとの間で切り替わる前記第１のＵＥのアップリンク送信のためのサブフレームを、アップリンク送信として受信されることの前記低減された尤度をもつサブフレームの前記セットとして識別することを備える、Ｃ１に記載の方法。
［Ｃ５］
前記スケジュールすることが、基地局のダウンリンク通信からの干渉を経験しないサブフレーム上にのみアップリンク制御情報をスケジュールすることを備える、Ｃ１に記載の方法。
［Ｃ６］
前記アップリンク制御情報が、ランクインジケータ（ＲＩ）、チャネル品質インジケータ（ＣＱＩ）、サウンディング基準信号（ＳＲＳ）、スケジューリング要求（ＳＲ）、および／または物理ランダムアクセスチャネル（ＰＲＡＣＨ）メッセージを備える、Ｃ１に記載の方法。
［Ｃ７］
前記ＰＲＡＣＨメッセージが、すべてのアップリンクＰＲＡＣＨメッセージまたはいくつかのアップリンクＰＲＡＣＨメッセージのみを備える、Ｃ６に記載の方法。
［Ｃ８］
基地局からの干渉を受けないアップリンクサブフレーム上に少なくともいくつかのＰＲＡＣＨリソースを有するＰＲＡＣＨ構成を選択することをさらに備える、Ｃ７に記載の方法。
［Ｃ９］
対応するスケジュールされた送信が、基地局からの干渉を受けないアップリンクサブフレーム上で送信されるように、ランダムアクセス応答をダウンリンクサブフレーム上にスケジュールすることをさらに備える、Ｃ７に記載の方法。
［Ｃ１０］
競合解消の肯定応答（ＡＣＫ）メッセージが、基地局からの干渉を受けないアップリンクサブフレーム上で送信されるように、ＰＲＡＣＨプロセスの競合解消メッセージをダウンリンクサブフレーム上にスケジュールすることをさらに備える、Ｃ７に記載の方法。
［Ｃ１１］
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断することと、
前記ダウンリンクデータ送信に対応する別のアップリンクＡＣＫ／ＮＡＣＫメッセージをトリガするために低減されたサイズのダウンリンク再送信を送信すること、または
アップリンク通信に関連するダウンリンクサブフレームに対してより遅いハイブリッド自動再送要求（ＨＡＲＱ）終了を設定することのいずれかと
を備える、ワイヤレス通信の方法。
［Ｃ１２］
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断することと、
干渉を回避するためにアップリンクリソースをスケジュールすることまたはマッピングすることと
を備える、ワイヤレス通信の方法。
［Ｃ１３］
前記スケジュールすることが、干渉を回避するために、異なるＴＤＤ構成で動作するＵＥに個別のアップリンク肯定応答／否定応答（ＡＣＫ／ＮＡＣＫ）リソースを割り振ることを備える、Ｃ１２に記載の方法。
［Ｃ１４］
前記スケジュールすることが、前記異なるＴＤＤ構成で動作するＵＥのための異なる物理アップリンク制御チャネル（ＰＵＣＣＨ）オフセット値を個別のＡＣＫ／ＮＡＣＫリソースに割り当てることを備える、Ｃ１３に記載の方法。
［Ｃ１５］
ダウンリンクデータ送信に対応するＡＣＫリソースへの少なくとも２つの異なるマッピングが定義され、前記２つの異なるマッピングのうちの少なくとも１つが、前記第２のＴＤＤ構成との干渉を回避する、Ｃ１２に記載の方法。
［Ｃ１６］
使用すべきマッピングを前記第１のＵＥにシグナリングすることをさらに備える、Ｃ１５に記載の方法。
［Ｃ１７］
前記第１のＵＥのアップリンクデータ送信と前記第２のＵＥのアップリンクデータ送信間の干渉を回避するために送信または再送信を中断することをさらに備える、Ｃ１２に記載の方法。
［Ｃ１８］
アップリンク許可を送らないことによって初期送信を中断することをさらに備える、Ｃ１７に記載の方法。
［Ｃ１９］
前記ＵＥのＡＣＫメッセージが最初に送信されるのか許可が最初に送信されるのか、前記ＵＥが経験するトラフィック状態、前記ＵＥによって仮定された構成が基地局によって使用された構成であるかどうか、および／または前記ＵＥがレガシーＵＥであるかどうか、に少なくとも部分的に基づいて、どのＵＥが中断されるかに優先度を付けることをさらに備える、Ｃ１８に記載の方法。
［Ｃ２０］
正常に復号されなかったアップリンク送信に対応する再送信を中断するために、前記第１のＵＥにＡＣＫメッセージを送ることをさらに備える、Ｃ１７に記載の方法。
［Ｃ２１］
前記ＵＥのＡＣＫメッセージが最初に送信されるのか許可が最初に送信されるのか、前記ＵＥが経験するトラフィック状態、前記ＵＥによって仮定された構成が基地局によって使用された前記構成であるかどうか、および／または前記ＵＥがレガシーＵＥであるかどうか、に少なくとも部分的に基づいて、どのＵＥが中断されるかに優先度を付けることをさらに備える、Ｃ２０に記載の方法。
［Ｃ２２］
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと干渉し得るときを判断することと、
干渉を回避するために、アップリンクデータリソースをスケジュールすること、または少なくとも１つのＵＥのＡＣＫ／ＮＡＣＫリソースのための新しいマッピングを定義することと
を備える、ワイヤレス通信の方法。
［Ｃ２３］
前記アップリンクデータリソースが復調基準信号（ＤＭ−ＲＳ）シーケンスおよび／または割り振られたリソースブロック（ＲＢ）を備える、Ｃ２２に記載の方法。
［Ｃ２４］
前記アップリンクデータリソースがＩPHICHパラメータを備え、前記ＩPHICHパラメータがとる値の量が、通信仕様によって規定された値の数を超える、Ｃ２２に記載の方法。
［Ｃ２５］
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告すること
を備える、ワイヤレス通信の方法。
［Ｃ２６］
前記ＰＲＡＣＨ構成がレガシーユーザ機器（ＵＥ）において利用不可能である、Ｃ２５に記載の方法。
［Ｃ２７］
対応するスケジュールされた送信およびＰＲＡＣＨプロセスの競合解消メッセージに対する肯定応答（ＡＣＫ）メッセージが、基地局がそれらの間で切り替わる時分割複信（ＴＤＤ）構成の全セット、または前記基地局がそれらの間で切り替わるＴＤＤ構成の全セットのサブセットについてアップリンクサブフレームであるサブフレーム上で送信されるように、ランダムアクセス応答および前記競合解消メッセージをダウンリンクサブフレーム上にスケジュールすること、あるいは
前記スケジュールされた送信と前記競合解消メッセージの前記ＡＣＫメッセージとのための新しいタイムラインを定義すること、前記新しいタイムラインは、前記基地局がそれらの間で切り替わるＴＤＤ構成の前記全セット、または前記基地局がそれらの間で切り替わるＴＤＤ構成の前記全セットのサブセットについてアップリンクサブフレームであるサブフレーム上での送信を含む、のいずれか
をさらに備える、Ｃ２５に記載の方法。
［Ｃ２８］
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更すること
を備える、ワイヤレス通信の方法。
［Ｃ２９］
ワイヤレス通信のために構成された装置であって、
メモリと、
前記メモリに結合された少なくとも１つのプロセッサと
を備え、前記少なくとも１つのプロセッサが、
第１のユーザ機器（ＵＥ）のアップリンク送信として受信されることの低減された尤度をもつサブフレームのセットを判断することと、
サブフレームの前記判断されたセット以外のサブフレーム上にアップリンク制御情報（ＵＣＩ）をスケジュールすることによって前記第１のＵＥのアップリンク送信をスケジュールすることと
を行うように構成された、装置。
［Ｃ３０］
前記少なくとも１つのプロセッサが、基地局のダウンリンク通信からの干渉を経験しないサブフレーム上にのみアップリンク制御情報をスケジュールすることによって、前記アップリンク送信をスケジュールするようにさらに構成された、Ｃ２９に記載の装置。
［Ｃ３１］
前記アップリンク制御情報が、ランクインジケータ（ＲＩ）、チャネル品質インジケータ（ＣＱＩ）、サウンディング基準信号（ＳＲＳ）、スケジューリング要求（ＳＲ）、および／または物理ランダムアクセスチャネル（ＰＲＡＣＨ）メッセージを備える、Ｃ２９に記載の装置。
［Ｃ３２］
前記ＰＲＡＣＨメッセージが、すべてのアップリンクＰＲＡＣＨメッセージまたはいくつかのアップリンクＰＲＡＣＨメッセージのみを備える、Ｃ３１に記載の装置。
［Ｃ３３］
前記少なくとも１つのプロセッサは、
基地局からの干渉を受けないアップリンクサブフレーム上に少なくともいくつかのＰＲＡＣＨリソースを有するＰＲＡＣＨ構成を選択することと、
対応するスケジュールされた送信および競合解消の肯定応答（ＡＣＫ）メッセージが、前記基地局からの干渉を受けないアップリンクサブフレーム上で送信されるように、ランダムアクセス応答およびＰＲＡＣＨプロセスの競合解消メッセージをダウンリンクサブフレーム上にスケジュールすることと
を行うようにさらに構成された、Ｃ３２に記載の装置。
［Ｃ３４］
ワイヤレス通信のために構成されたコンピュータプログラム製品であって、
非一時的プログラムコードを記録した非一時的コンピュータ可読媒体を備え、前記プログラムコードが、
第１のユーザ機器（ＵＥ）のアップリンク送信として受信されることの低減された尤度をもつサブフレームのセットを判断するためのプログラムコードと、
サブフレームの前記判断されたセット以外のサブフレーム上にアップリンク制御情報（ＵＣＩ）をスケジュールすることによって前記第１のＵＥのアップリンク送信をスケジュールするためのプログラムコードと
を備える、コンピュータプログラム製品。
［Ｃ３５］
第１のユーザ機器（ＵＥ）のアップリンク送信として受信されることの低減された尤度をもつサブフレームのセットを判断するための手段と、
サブフレームの前記判断されたセット以外のサブフレーム上にアップリンク制御情報（ＵＣＩ）をスケジュールすることによって前記第１のＵＥのアップリンク送信をスケジュールするための手段と
を備える、ワイヤレス通信のための装置。
［Ｃ３６］
ワイヤレス通信のために構成された装置であって、
メモリと、
前記メモリに結合された少なくとも１つのプロセッサと
を備え、前記少なくとも１つのプロセッサは、
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断することと、
前記ダウンリンクデータ送信に対応する別のアップリンクＡＣＫ／ＮＡＣＫメッセージをトリガするために低減されたサイズのダウンリンク再送信を送信すること、または
アップリンク通信に関連するダウンリンクサブフレームに対してより遅いハイブリッド自動再送要求（ＨＡＲＱ）終了を設定することのいずれかと
を行うように構成された、装置。
［Ｃ３７］
ワイヤレス通信のために構成されたコンピュータプログラム製品であって、
非一時的プログラムコードを記録した非一時的コンピュータ可読媒体を備え、前記プログラムコードは、
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断するためのプログラムコードと、
前記ダウンリンクデータ送信に対応する別のアップリンクＡＣＫ／ＮＡＣＫメッセージをトリガするために低減されたサイズのダウンリンク再送信を送信するためのプログラムコード、または
アップリンク通信に関連するダウンリンクサブフレームに対してより遅いハイブリッド自動再送要求（ＨＡＲＱ）終了を設定するためのプログラムコードのいずれかと
を備える、コンピュータプログラム製品。
［Ｃ３８］
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断するための手段と、
前記ダウンリンクデータ送信に対応する別のアップリンクＡＣＫ／ＮＡＣＫメッセージをトリガするために低減されたサイズのダウンリンク再送信を送信するための手段、または
アップリンク通信に関連するダウンリンクサブフレームに対してより遅いハイブリッド自動再送要求（ＨＡＲＱ）終了を設定するための手段のいずれかと
を備える、ワイヤレス通信のための装置。
［Ｃ３９］
ワイヤレス通信のために構成された装置であって、
メモリと、
前記メモリに結合された少なくとも１つのプロセッサと
を備え、前記少なくとも１つのプロセッサは、
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断することと、
そのような干渉を回避するためにアップリンクリソースをスケジュールすることまたはマッピングすることと
を行うように構成された、装置。
［Ｃ４０］
前記少なくとも１つのプロセッサが、干渉を回避するために、異なるＴＤＤ構成で動作するＵＥに個別のアップリンク肯定応答／否定応答（ＡＣＫ／ＮＡＣＫ）リソースを割り振ることによって、前記アップリンクリソースをスケジュールするようにさらに構成された、Ｃ３９に記載の装置。
［Ｃ４１］
前記少なくとも１つのプロセッサが、前記異なるＴＤＤ構成で動作するＵＥのための異なる物理アップリンク制御チャネル（ＰＵＣＣＨ）オフセット値を個別のＡＣＫ／ＮＡＣＫリソースに割り当てることによって、前記アップリンクリソースをスケジュールするようにさらに構成された、Ｃ４０に記載の装置。
［Ｃ４２］
ダウンリンクデータ送信に対応するＡＣＫリソースへの少なくとも２つの異なるマッピングが定義され、前記２つの異なるマッピングのうちの少なくとも１つが、前記第２のＴＤＤ構成との干渉を回避する、Ｃ３９に記載の装置。
［Ｃ４３］
前記少なくとも１つのプロセッサが、使用すべきマッピングを前記第１のＵＥにシグナリングするようにさらに構成された、Ｃ４２に記載の装置。
［Ｃ４４］
前記少なくとも１つのプロセッサが、前記第１のＵＥのアップリンクデータ送信と前記第２のＵＥのアップリンクデータ送信間の干渉を回避するために送信または再送信を中断するようにさらに構成された、Ｃ３９に記載の装置。
［Ｃ４５］
前記少なくとも１つのプロセッサが、アップリンク許可を送らないことによって初期送信を中断するようにさらに構成された、Ｃ４４に記載の装置。
［Ｃ４６］
前記少なくとも１つのプロセッサは、前記ＵＥのＡＣＫメッセージが最初に送信されるのか許可が最初に送信されるのか、前記ＵＥが経験するトラフィック状態、前記ＵＥによって仮定された構成が基地局によって使用された構成であるかどうか、および／または前記ＵＥがレガシーＵＥであるかどうか、に少なくとも部分的に基づいて、どのＵＥが中断されるかに優先度を付けるようにさらに構成された、Ｃ４５に記載の装置。
［Ｃ４７］
前記少なくとも１つのプロセッサが、正常に復号されなかったアップリンク送信に対応する再送信を中断するために、前記第１のＵＥにＡＣＫメッセージを送るようにさらに構成された、Ｃ４４に記載の装置。
［Ｃ４８］
前記少なくとも１つのプロセッサは、前記ＵＥのＡＣＫメッセージが最初に送信されるのか許可が最初に送信されるのか、前記ＵＥが経験するトラフィック状態、前記ＵＥによって仮定された構成が基地局によって使用された前記構成であるかどうか、および／または前記ＵＥがレガシーＵＥであるかどうか、に少なくとも部分的に基づいて、どのＵＥが中断されるかに優先度を付けるようにさらに構成された、Ｃ４７に記載の装置。
［Ｃ４９］
ワイヤレス通信のために構成されたコンピュータプログラム製品であって、
非一時的プログラムコードを記録した非一時的コンピュータ可読媒体を備え、前記プログラムコードは、
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断するためのプログラムコードと、
そのような干渉を回避するためにアップリンクリソースをスケジュールするかまたはマッピングするためのプログラムコードと
を備える、コンピュータプログラム製品。
［Ｃ５０］
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断するための手段と、
そのような干渉を回避するためにアップリンクリソースをスケジュールまたはマッピングするための手段と
を備える、ワイヤレス通信のための装置。
［Ｃ５１］
ワイヤレス通信のために構成された装置であって、
メモリと、
前記メモリに結合された少なくとも１つのプロセッサと
を備え、前記少なくとも１つのプロセッサは、
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断することと、
干渉を回避するために、アップリンクデータリソースをスケジュールすること、または少なくとも１つのＵＥのＡＣＫ／ＮＡＣＫリソースのための新しいマッピングを定義することと
を行うように構成された、装置。
［Ｃ５２］
前記アップリンクデータリソースが復調基準信号（ＤＭ−ＲＳ）シーケンスおよび／または割り振られたリソースブロック（ＲＢ）を備える、Ｃ５１に記載の装置。
［Ｃ５３］
ワイヤレス通信のために構成されたコンピュータプログラム製品であって、
非一時的プログラムコードを記録した非一時的コンピュータ可読媒体を備え、前記プログラムコードは、
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断するためのプログラムコードと、
干渉を回避するために、アップリンクデータリソースをスケジュールするか、または少なくとも１つのＵＥのＡＣＫ／ＮＡＣＫリソースのための新しいマッピングを定義するためのプログラムコードと
を備える、コンピュータプログラム製品。
［Ｃ５４］
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断するための手段と、
干渉を回避するために、アップリンクデータリソースをスケジュールするか、または少なくとも１つのＵＥのＡＣＫ／ＮＡＣＫリソースのための新しいマッピングを定義するための手段と
を備える、ワイヤレス通信のための装置。
［Ｃ５５］
ワイヤレス通信のために構成された装置であって、
メモリと、
前記メモリに結合された少なくとも１つのプロセッサと
を備え、前記少なくとも１つのプロセッサは、
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告するように構成された、装置。
［Ｃ５６］
前記ＰＲＡＣＨ構成がレガシーユーザ機器（ＵＥ）において利用不可能である、Ｃ５５に記載の装置。
［Ｃ５７］
前記少なくとも１つのプロセッサは、
対応するスケジュールされた送信およびＰＲＡＣＨプロセスの競合解消メッセージに対する肯定応答（ＡＣＫ）メッセージが、基地局がそれらの間で切り替わる時分割複信（ＴＤＤ）構成の全セット、または前記基地局がそれらの間で切り替わるＴＤＤ構成の全セットのサブセットについてアップリンクサブフレームであるサブフレーム上で送信されるように、ランダムアクセス応答および前記競合解消メッセージをダウンリンクサブフレーム上にスケジュールすること、あるいは
前記スケジュールされた送信と前記競合解消メッセージの前記ＡＣＫメッセージとのための新しいタイムラインを定義すること、前記新しいタイムラインは、前記基地局がそれらの間で切り替わるＴＤＤ構成の前記全セット、または前記基地局がそれらの間で切り替わるＴＤＤ構成の前記全セットのサブセットについてアップリンクサブフレームであるサブフレーム上での送信を含む、
を行うようにさらに構成された、Ｃ５５に記載の装置。
［Ｃ５８］
ワイヤレス通信のために構成されたコンピュータプログラム製品であって、
非一時的プログラムコードを記録した非一時的コンピュータ可読媒体を備え、前記プログラムコードは、
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告するためのプログラムコード
を備える、コンピュータプログラム製品。
［Ｃ５９］
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を判断するための手段と、
前記ＰＲＡＣＨ構成を広告するための手段と
を備える、ワイヤレス通信のための装置。
［Ｃ６０］
ワイヤレス通信のために構成された装置であって、
メモリと、
前記メモリに結合された少なくとも１つのプロセッサと
を備え、前記少なくとも１つのプロセッサは、
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するように構成された、装置。
［Ｃ６１］
ワイヤレス通信のために構成されたコンピュータプログラム製品であって、
非一時的プログラムコードを記録した非一時的コンピュータ可読媒体を備え、前記プログラムコードは、
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するためのプログラムコード
を備える、コンピュータプログラム製品。
［Ｃ６２］
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するための手段
を備える、ワイヤレス通信のための装置。